(57)【要約】      （修正有）【課題】含水固形物乾燥装置のエネルギー効率を向上させる。【解決手段】水及び熱媒の顕熱を回収し、供給された含水固形物を前記回収した熱で加熱し、含水固形物に含まれる水が蒸発を始めるまで予熱する予熱部１０と、水蒸気の潜熱を回収し、予熱部１０にて予熱された含水固形物を前記回収した熱で加熱し、含水固形物に含まれる水を蒸発させて水蒸気にする蒸発部２０と、蒸発部２０にて含まれる水が水蒸気にされた含水固形物を水蒸気と固形物に分離する固気分離機６１と、固気分離機６１にて分離された固形物の顕熱を熱媒ガスにより回収し、固形物を冷却して乾燥物として提供する熱回収部４０とを有する。【選択図】図２
2014105981.tif 000002
【特許請求の範囲】
【請求項１】
水及び熱媒の顕熱を回収し、供給された含水固形物を前記回収した熱で加熱し、前記含水固形物に含まれる水が蒸発を始めるまで予熱する予熱ステップと、
水蒸気の潜熱を回収し、前記予熱ステップにて予熱された含水固形物を前記回収した熱で加熱し、前記含水固形物に含まれる水を蒸発させて水蒸気にする蒸発ステップと、
前記蒸発ステップにて含まれる水が水蒸気にされた含水固形物を水蒸気と固形物に分離する固気分離ステップと、
前記固気分離ステップにて分離された前記固形物の顕熱を熱媒により回収し、前記固形物を冷却して乾燥物として提供する熱回収ステップと、
前記固気分離ステップから供給された水蒸気を断熱圧縮して昇温させる水蒸気圧縮ステップと、
前記熱回収ステップにて熱を回収した熱媒を過熱する熱媒過熱ステップとを有し、
前記水蒸気圧縮ステップにて昇温された水蒸気は、前記蒸発ステップ及び前記予熱ステップの順序で熱が回収され、前記熱媒過熱ステップにて過熱された熱媒は、前記予熱ステップで熱が回収される含水固形物乾燥方法。
【請求項２】
水蒸気及び熱媒の顕熱を回収し、前記蒸発ステップにて含まれる水が水蒸気にされた含水固形物を前記回収した熱で加熱し、前記含水固形物をさらに過熱する過熱ステップをさらに有し、前記固気分離ステップには前記過熱ステップにて過熱された含水固形物が供給され、前記水蒸気圧縮ステップにて昇温された水蒸気は、前記過熱ステップ、前記蒸発ステップ及び前記予熱ステップの順序で熱が回収され、前記熱媒過熱ステップにて過熱された熱媒は、前記過熱ステップ及び前記予熱ステップの順序で熱が回収される請求項１記載の含水固形物乾燥方法。
【請求項３】
前記熱媒は気体であり、前記熱媒過熱ステップは前記熱媒を断熱圧縮して昇温させる熱媒圧縮ステップを有する請求項１又は２に記載の含水固形物乾燥方法。
【請求項４】
前記水蒸気圧縮ステップ及び前記熱媒圧縮ステップは圧縮比が異なる請求項３に記載の含水固形物乾燥方法。
【請求項５】
水及び熱媒の顕熱を回収し、供給された含水固形物を前記回収した熱で加熱し、前記含水固形物に含まれる水が蒸発を始めるまで予熱する予熱手段と、
水蒸気の潜熱を回収し、前記予熱手段にて予熱された含水固形物を前記回収した熱で加熱し、前記含水固形物に含まれる水を蒸発させて水蒸気にする蒸発手段と、
前記蒸発手段にて含まれる水が水蒸気にされた含水固形物を水蒸気と固形物に分離する固気分離手段と、
前記固気分離手段にて分離された前記固形物の顕熱を熱媒により回収し、前記固形物を冷却して乾燥物として提供する熱回収手段と、
前記固気分離手段から供給された水蒸気を断熱圧縮して昇温させる水蒸気圧縮手段と、
前記熱回収手段にて熱を回収した熱媒を過熱する熱媒過熱手段とを有し、
前記水蒸気圧縮手段にて昇温された水蒸気は、前記蒸発手段及び前記予熱手段の順序で熱が回収され、前記熱媒過熱手段にて過熱された熱媒は、前記予熱手段で熱が回収される含水固形物乾燥装置。
【請求項６】
前記予熱手段は、水の顕熱を回収する第１の熱交換手段と、熱媒の顕熱を回収する第２の熱交換手段とを有し、前記含水固形物の一部を前記第１の熱交換手段にて予熱し、前記含水固形物の残りを前記第２の熱交換手段にて予熱する請求項５に記載の含水固形物乾燥装置。
【発明の詳細な説明】
【技術分野】
【０００１】
本発明は、含水固形物を乾燥する含水固形物乾燥方法及び装置に関する。
【背景技術】
【０００２】
従来、汚泥、褐炭、バイオマス等の含水固形物を乾燥する乾燥装置が提供されている。図１は、含水固形物を乾燥させる従来の乾燥装置の一例を示す図である。
【０００３】
この乾燥装置は、原料として供給された含水固形物１３１を搬送するフィーダー１１２を備え、含水固形物１３１を乾燥物にして提供するものである。このフィーダー１１２には、軸１１６によって回転駆動されるスクリューフィーダーを利用することができる。
【０００４】
フィーダー１１２で搬送される含水固形物１３１は、フィーダー１１２床面に設けられたトラフ加熱器１１１により加熱されるとともに、図示しない撹拌機構によって撹拌乾燥される。また、筐体１１０内には熱風供給口１１３から熱交換器１２３で加熱された熱風が供給され、また、低圧飽和蒸気１３６が供給されている。
【０００５】
含水固形物１３１はフィーダー１１２で搬送されるとともに乾燥され、乾燥物１３２とされて提供される。筐体１１０内の雰囲気は排気ブロワ１２１・循環ブロワ１２２によって制御され、加熱に用いられた蒸気１３６は凝縮水１３７等となってドレンから排出される。
【０００６】
このような従来の乾燥装置においては、他のプロセスで発生した蒸気を使用したり、あるいはヒーターで加熱したりしていた。また、乾燥装置において発生した蒸気は、そのまま含水固形物の予熱に利用され、余った熱は捨てられていた。
【０００７】
乾燥装置において熱を回収して再利用する観点から、特許文献１に示したような乾燥装置が提案されている。この乾燥装置においては、含水固体燃料の掃気ガスと含水固体燃料から蒸発した蒸気を含む混合ガス流体を圧縮機で圧縮して乾燥容器の伝熱管に供給し、この混合ガス流体の潜熱と顕熱を回収して含水固体燃料の乾燥に利用していた。この乾燥装置は、含水固体燃料と掃気ガスに供給した熱量を部分的に回収して利用するものであり、熱量の回収と再生には改善の余地が残っていた。
【先行技術文献】
【特許文献】
【０００８】
【特許文献１】特開２０１０−２７６２５０号公報
【発明の概要】
【発明が解決しようとする課題】
【０００９】
従来の含水固形物の乾燥装置においては、含水固形物に供給した熱量からの回収には限界があり、エネルギー効率には制限があった。このため、含水固形物の乾燥装置に供給した熱量を効率よく回収することにより、エネルギー効率を向上させることが求められている。
【００１０】
この出願に係る発明は、上述の実情に鑑みて提案されるものであって、含水固形物を乾燥するものであって、含水固形物の乾燥に供給した熱量を効率よく回収できるような含水固形物乾燥方法及び装置を提供することを目的とする。
【課題を解決するための手段】
【００１１】
上述の課題を解決するために、この出願に係る含水固形物乾燥方法は、水及び熱媒の顕熱を回収し、供給された含水固形物を前記回収した熱で加熱し、前記含水固形物に含まれる水が蒸発を始めるまで予熱する予熱ステップと、水蒸気の潜熱を回収し、前記予熱ステップにて予熱された含水固形物を前記回収した熱で加熱し、前記含水固形物に含まれる水を蒸発させて水蒸気にする蒸発ステップと、前記蒸発ステップにて含まれる水が水蒸気にされた含水固形物を水蒸気と固形物に分離する固気分離ステップと、前記固気分離ステップにて分離された前記固形物の顕熱を熱媒により回収し、前記固形物を冷却して乾燥物として提供する熱回収ステップと、前記固気分離ステップから供給された水蒸気を断熱圧縮して昇温させる水蒸気圧縮ステップと、前記熱回収ステップにて熱を回収した熱媒を過熱する熱媒過熱ステップとを有し、前記水蒸気圧縮ステップにて昇温された水蒸気は、前記蒸発ステップ及び前記予熱ステップの順序で熱が回収され、前記熱媒過熱ステップにて過熱された熱媒は、前記予熱ステップで熱が回収されるものである。
【００１２】
水蒸気及び熱媒の顕熱を回収し、前記蒸発ステップにて含まれる水が水蒸気にされた含水固形物を前記回収した熱で加熱し、前記含水固形物をさらに過熱する過熱ステップをさらに有し、前記固気分離ステップには前記過熱ステップにて過熱された含水固形物が供給され、前記水蒸気圧縮ステップにて昇温された水蒸気は、前記過熱ステップ、前記蒸発ステップ及び前記予熱ステップの順序で熱が回収され、前記熱媒過熱ステップにて過熱された熱媒は、前記過熱ステップ及び前記予熱ステップの順序で熱が回収されることが好ましい。
【００１３】
前記熱媒は気体であり、前記熱媒過熱ステップは前記熱媒を断熱圧縮して昇温させる熱媒圧縮ステップを有することが好ましい。前記水蒸気圧縮ステップ及び前記熱媒圧縮ステップは圧縮比が異なることが好ましい。
【００１４】
上述の課題を解決するために、この出願に係る含水固形物乾燥装置は、水及び熱媒の顕熱を回収し、供給された含水固形物を前記回収した熱で加熱し、前記含水固形物に含まれる水が蒸発を始めるまで予熱する予熱手段と、水蒸気の潜熱を回収し、前記予熱手段にて予熱された含水固形物を前記回収した熱で加熱し、前記含水固形物に含まれる水を蒸発させて水蒸気にする蒸発手段と、前記蒸発手段にて含まれる水が水蒸気にされた含水固形物を水蒸気と固形物に分離する固気分離手段と、前記固気分離手段にて分離された前記固形物の顕熱を熱媒により回収し、前記固形物を冷却して乾燥物として提供する熱回収手段と、前記固気分離手段から供給された水蒸気を断熱圧縮して昇温させる水蒸気圧縮手段と、前記熱回収手段にて熱を回収した熱媒を過熱する熱媒過熱手段とを有し、前記水蒸気圧縮手段にて昇温された水蒸気は、前記蒸発手段及び前記予熱手段の順序で熱が回収され、前記熱媒過熱手段にて過熱された熱媒は、前記予熱手段で熱が回収されるものである。
【００１５】
前記予熱手段は、水の顕熱を回収する第１の熱交換手段と、熱媒の顕熱を回収する第２の熱交換手段とを有し、前記含水固形物の一部を前記第１の熱交換手段にて予熱し、前記含水固形物の残りを前記第２の熱交換手段にて予熱することが好ましい。
【発明の効果】
【００１６】
この出願に係る発明によると、含水固形物の乾燥させる際に供給する熱量を回収して再生することにより、エネルギー効率を向上させ、消費するエネルギーを低減することができる。
【図面の簡単な説明】
【００１７】
【図１】従来の乾燥装置の一例を示す図である。
【図２】本実施の形態の乾燥プロセスを示す図である。
【図３】乾燥プロセスにおける熱回収を説明する図である。
【図４】水と固形物のＴ−Ｑ線図である。
【図５】他の実施の形態の乾燥プロセスを示す図である。
【図６】乾燥装置の第１の実施例を示す図である。
【図７】乾燥装置の第２の実施例を示す図である。
【図８】乾燥装置の第３の実施例を示す図である。
【発明を実施するための形態】
【００１８】
以下、この発明に係る含水固形物乾燥方法及び装置の実施の形態について、図面を参照して詳細に説明する。
【００１９】
（乾燥プロセス）
本実施の形態の乾燥プロセスは、含水固形物を乾燥物にするものであって、その過程において含水固形物に供給した潜熱と顕熱をともに回収して再生することにより、エネルギー効率を高めるものである。この乾燥プロセスで処理する含水固形物には、汚泥、褐炭、バイオマスが含まれるが、これらに限定されない。
【００２０】
なお、以下の乾燥プロセスと乾燥装置の説明においては、各プロセス、構成要素等に関連して温度を例示するが、これらの温度は一例を示すものであって、これらに限定されるものではない。
【００２１】
図２は、含水固形物を乾燥する乾燥プロセスを示す図である。乾燥プロセスは、供給された含水固形物に含まれる水を蒸発させるために予熱する予熱部１０を有している。この予熱部１０は、供給された水と熱媒から顕熱を回収し、回収した熱量を用いて含水固形物を加熱している。
【００２２】
この予熱部１０は、室温で供給された含水固形物の一部を水によって予熱する第１の熱交換器１１を有している。第１の熱交換器１１には、シャフトに形成されたスクリュー状の羽根を回転させて含水固形物をシャフト軸方向に搬送するとともに、中空のシャフト管中を軸方向に流れる水、水蒸気等から羽根を介して含水固形物に熱を伝導するスクリューフィーダーを採用するが、これに限定されない。なお、他の熱交換器においても同様である。
【００２３】
また、予熱部１０は、含水固形物の残りを熱媒ガスによって予熱する第２の熱交換器１２を有している。本実施の形態においては熱媒ガスとして空気を採用するが、これに限定されない。熱媒ガスに代えて熱媒液体を採用することもできる。
【００２４】
乾燥プロセスは、予熱部１０によって予熱された含水固形物が供給され、この含水固形物に含まれる水を蒸発させて水蒸気にする蒸発部２０を有している。この蒸発部２０は、供給された水蒸気から潜熱を回収し、回収した熱量を用いて含水固形物を加熱している。この蒸発部２０は、含水固形物を水蒸気によって加熱する第３の熱交換器２１を有している。
【００２５】
過熱プロセスは、蒸発部２０にて含んだ水が水蒸気にされた含水固形物が供給され、この含水固形物を過熱する過熱部３０を有している。この過熱部３０は、供給された水蒸気と熱媒ガスから顕熱を回収し、回収した熱量を用いて含水固形物を過熱している。この過熱部３０は、含水固形物の一部を水蒸気により過熱する第４の熱交換器３１と、含水固形物の残りを媒体ガスにより過熱する第５の熱交換器３２とを有している。
【００２６】
乾燥プロセスは、過熱部３０にて過熱された含水固形物が供給され、この含水固形物の含む固形物を水蒸気から分離する固気分離機６１を有している。本実施の形態ではこの固気分離機６１にはサイクロン機構を採用するが、これに限定されない。
【００２７】
乾燥プロセスは、固気分離機６１にて分離された固形物が供給され、この固形物を冷却して乾燥物として提供する熱回収部４０を有している。この熱回収部４０は、固形物の顕熱を回収し、回収した熱量を用いて室温で供給された熱媒ガスを加熱している。この熱回収部４０は、固形物を熱媒ガスによって冷却する第６の熱交換器４１を有している。
【００２８】
乾燥プロセスは、熱回収部４０から熱媒ガスが供給され、この媒体ガスを過熱する熱媒過熱部５０を有している。熱媒過熱部５０は、熱媒ガスを断熱圧縮して昇温させる第１の圧縮機５１を有している。熱媒過熱部５０から供給された熱媒ガスは、過熱部３０の第５の熱交換器３２、予熱部１０の第２の熱交換器１２の順序で熱源として供給され熱が回収される。
【００２９】
乾燥プロセスは、固気分離機６１から水蒸気が供給され、この水蒸気を断熱圧縮して昇温させる第２の圧縮機６２を有している。第２の圧縮機６２から供給された熱媒ガスは、過熱部３０の第４の熱交換器３１、蒸発部２０の第３の熱交換器２１、予熱部１０の第１の熱交換器１１の順序で熱源として供給され熱が回収される。
【００３０】
図３は、乾燥プロセスにおける熱回収の原理を説明する図である。図３（Ａ）のブロック図は乾燥プロセスを熱交換器１０１、主プロセス１０３、圧縮機１０６を有するシステムに簡略化して説明するものである。なお、この図３では簡単のために顕熱のみを示すが、実際には含水固形物に含まれる水に由来する潜熱を考慮する必要がある。
【００３１】
ここで、本実施の形態の乾燥プロセスの構成において、予熱部１０、蒸発部２０、過熱部３０、熱回収部４０が熱交換器１０１に対応している。また、固気分離機６１等が主プロセス１０３に対応し、熱媒過熱部５０、第２の圧縮機６２が圧縮機１０６に対応している。
【００３２】
このようなシステムにおいて、図３（Ａ）のＴ−Ｑ線図に示すように、乾燥プロセスに供給された対象物は、熱交換器１０１にて経路１に沿って吸熱して昇温され、主プロセス１０３を経て圧縮機１０６にて経路２に沿って断熱圧縮により昇温され、再び熱交換器１０１にて経路３に沿って放熱して降温される。
【００３３】
このシステムにおいては、経路２の断熱圧縮によって、Ｔ−Ｑ線図上で対象物が吸熱する経路１と対象物が放熱する経路３の間に一定の温度差が確保されている。したがって、熱交換器１０１において熱を移動させることにより、経路１に沿って対象物が吸熱した熱量は、経路３に沿った放熱によってすべて回収することができる。
【００３４】
なお、図３（Ａ）のブロック図に示した膨張機１０７は、図２に示した乾燥プロセスの構成において予熱部１０における熱媒ガスの排出路に設置することができる。このような膨張機１０７は、予熱部１０から排出された熱媒ガスを断熱膨張させて仕事させることにより、断熱圧縮に費やしたエネルギーの一部を回収することができる。
【００３５】
図３（Ｂ）は参考例として従来の熱回収を説明する図である。従来の熱回収は、熱交換器１０１、加熱器１０２、主プロセス１０３、冷却器１０４を有するシステムにおいて、Ｔ−Ｑ線図上で対象物が吸熱する経路１と放熱する経路３の間に一定の温度差を確保できるのは一部の領域に限られていた。このため、熱交換器１０１においては、経路３に沿った放熱によって回収することができる熱量は、経路１に沿って対象物が吸熱した熱量の一部のみに限られ、エネルギー効率には限界があった。
【００３６】
図４は、水と固形物のＴ−Ｑ線図を示す図である。図４（Ａ）に示す水のＴ−Ｑ線図は、蒸発に相当する平坦な領域を有する点において図４（Ｂ）に示す固形物のＴ−Ｑ線図と相違している。これら水と固形物を対象物としたＴ−Ｑ線図は、図３（Ａ）における対象物が吸熱する経路１と放熱する経路３に対応させることができる。
【００３７】
図４（Ａ）に示すように、対象物が水の場合は、水が蒸発を続ける間、供給された熱量は潜熱として寄与し、熱量の増加に関わらず対象物の温度は一定に保たれる。一方、予熱と過熱においては、供給された熱量は顕熱として寄与し、熱量の増加に応じて対象物の温度は上昇する。図４（Ｂ）に示すように、対象物が固形物の場合は、対象物に供給された熱量は顕熱として寄与し、熱量の増加に応じて対象物の温度は上昇する。
【００３８】
図２に示した乾燥プロセスにおいては、図３（Ａ）に示した乾燥プロセスの自己熱再生の基本的なシステムに基づいて、図４（Ａ）に示した水のＴ−Ｑ線図の予熱、蒸発及び過熱の各領域に対応するように、予熱部１０、蒸発部２０及び過熱部３０が設けられている。また、含水固形物の含む固形物は断熱圧縮により昇温させることが難しいので、固形物の熱を回収するために熱媒ガスが導入され、熱回収部４０が設けられている。
【００３９】
このような乾燥プロセスに供給された３０℃の含水固形物は、予熱部１０において、含んでいる水を蒸発させるために予熱される。この予熱部１０において含水固形物に供給された熱は、含水固形物の含む水と固形物の両方を対象物として顕熱として寄与し、その温度を上昇させる。なお、含水固形物の含む水について、この予熱部１０は図４（Ａ）の水のＴ−Ｑ線図における予熱の領域に対応している。
【００４０】
予熱部１０においては、含水固形物の一部が第１の熱交換器１１に供給され、残りが第２の熱交換器１２に供給される。第１の熱交換器１１と第２の熱交換器１２に供給される含水固形物の割合は、第１の熱交換器１１に供給される水蒸気と第２の熱交換器１２に供給される熱媒ガスがそれぞれ提供できる熱量等に依存する。
【００４１】
第１の熱交換器１１において、供給された３０℃の含水固形物は１１０℃の水蒸気を熱源として吸熱し、１００℃まで昇温され、水蒸気は放熱して４０℃まで降温され凝縮水になる。第２の熱交換器１２においては、同じく供給された３０℃の含水固形物は１１０℃の熱媒ガスを熱源として吸熱して１００℃まで昇温され、媒体ガスは放熱して４０℃まで降温される。
【００４２】
予熱部１０にて１００℃まで昇温された含水固形物は蒸発部２０に供給される。この蒸発部２０の第３の熱交換器２１において、含水固形物は１１０℃の水蒸気を熱源として潜熱に相当する熱量を吸熱し、含水固形物の含む水は蒸発して水蒸気にされる。水蒸気はこの潜熱に相当する熱量を放熱する。
【００４３】
この蒸発部２０では、水の蒸発により潜熱が吸収され、含水固形物に含まれる水が蒸発を続ける間、含水固形物の温度は１００℃に保たれる。含水固形物の含む水について、この予熱部１０は、図４（Ａ）の水のＴ−Ｑ線図における蒸発の領域に対応している。
【００４４】
蒸発部２０にて含んだ水が水蒸気にされた含水固形物は、過熱部３０においてさらに過熱される。この過熱部３０において含水固形物に供給された熱は、含水固形物の含む水と固形物の両方を対象物として顕熱として寄与し、その温度を上昇させる。なお、含水固形物の含む水について、この予熱部１０は図３（Ａ）の水のＴ−Ｑ線図における過熱の領域に対応している。
【００４５】
過熱部３０においては、含水固形物の一部が第４の熱交換器３１に供給され、残りが第５の熱交換器３２に供給される。第４の熱交換器３１と第５の熱交換器３２に供給される含水固形物の割合は、第４の熱交換器３１に供給される水蒸気と第２の熱交換器３２に供給される熱媒ガスがそれぞれ供給できる熱量等に依存する。
【００４６】
第４の熱交換器３１において、供給された１００℃の含水固形物は１２０℃の水蒸気を熱源として吸熱し、１１０℃まで昇温され、水蒸気は１１０℃まで降温される。第５の熱交換器においては、同じく供給された１００℃の含水固形物は１２０℃の熱媒ガスを熱源として吸熱し、１１０℃まで昇温され、熱媒ガスは１１０℃まで降温される。
【００４７】
過熱部３０にて１１０℃に昇温された含水固形物は、固気分離機６１にて固形物と水蒸気に分離される。そして、固形物は熱回収部４０に供給され、水蒸気は第２の圧縮機６２に供給される。この固気分離機６１において、供給された１１０℃の含水固形物は、温度が保たれたまま１１０℃の固形物と１１０℃の水蒸気に分離される。
【００４８】
固気分離機６１から供給された１１０℃の固形物は、熱回収部４０の第６の熱交換機４１にて冷却される。この熱回収部４０は、固形物を対象物としてその顕熱を回収している。
【００４９】
第６の熱交換器４１において、供給された１１０℃の固形物は３０℃の熱媒ガスを熱源として放熱し、４０℃まで降温され、熱媒ガスは１００℃まで昇温される。第６の熱交換器４１にて冷却された固形物は、乾燥物として提供される。
【００５０】
熱回収部４０にて１００℃まで昇温された熱媒ガスは熱媒過熱部５０に供給され、第１の圧縮機５１にて断熱圧縮される。第１の圧縮機５１には１００℃の熱媒ガスが供給され、この熱媒ガスは断熱的な圧縮により１２０℃まで昇温される。この第１の圧縮機５１は、図３（Ａ）の断熱圧縮の経路２に相当するものである。なお、媒体ガスに代えて媒体液体を採用する場合には断熱圧縮は困難であるので、媒体液体を昇温させるために例えばヒーターを採用することができる。
【００５１】
熱媒過熱部５０にて１２０℃まで加熱された熱媒ガスは、過熱部３０の第５の熱交換器３２にて放熱して１１０℃まで降温し、続いて予熱部１０の第２の熱交換器１２にて放熱して４０℃に降温して排出される。
【００５２】
固気分離機６１から供給された１１０℃の水蒸気は、第２の圧縮機６２にて断熱圧縮により１２０℃まで昇温される。この第２の圧縮機６２は、図３（Ａ）の断熱圧縮の経路２に相当するものである。第２の圧縮機６２にて１２０℃まで過熱された水蒸気は、過熱部３０の第４の熱交換器３１にて放熱して１１０℃まで降温され、続いて蒸発部２０の第３の熱交換器２１にて１１０℃の温度を維持しつつ放熱し、さらに予熱部１０の第１の熱交換器１１にて放熱して４０℃まで降温され、凝縮水として排出される。
【００５３】
この乾燥プロセスにおいて、第１の熱交換器１１、第３の熱交換器２１及び第４の熱交換器３１にて水又は水蒸気を熱源として含水固形物に供給された熱量は、含水固形物から熱源となる水蒸気に全量回収されている。回収された熱量は、これら第１の熱交換器１１、第３の熱交換器２１及び第４の熱交換器３１において、水蒸気を熱源として含水固形物に供給され再利用されている。このような水についての自己熱再生のサイクルは、固気分離機６１にて含水固形物から水蒸気を分離し、この水蒸気を断熱圧縮により昇温させ還流することにより実現されている。
【００５４】
また、第２の熱交換器１２、第５の熱交換器３２及び第６の熱交換器４１にて熱媒ガスを熱源として含水固形物に供給された熱量は、含水固形物から熱媒ガスに全量回収されている。回収された熱量は、第２の熱交換器１２、第５の熱交換器３２及び第６の熱交換器４１に熱源の熱媒ガスから供給され再利用されている。このような固形物についての自己熱再生のサイクルは、固気分離機６１にて含水固形物から媒体ガスを分離し、この媒体ガスを断熱圧縮により昇温させて還流することによって実現されている。
【００５５】
このように、この乾燥プロセスは、含水固形物に供給した熱量をすべて回収して再生するような自己熱再生サイクルを形成するものである。したがって、この乾燥プロセスは、含水固形物を加熱するために熱量の供給を続ける必要がなく、高いエネルギー効率を達成することができる。
【００５６】
また、この乾燥プロセスは、熱源となる水蒸気を第２の圧縮機６２にて断熱圧縮し、同じく熱源となる熱媒ガスを第１の圧縮機５１にて断熱圧縮している。水蒸気と熱媒ガスでは必要な温度まで昇温させるために必要な断熱圧縮の圧縮比が異なるので、このように水蒸気と熱媒ガスについて個別の圧縮機を設けることにより、水蒸気と熱媒ガスのそれぞれについて適正な圧縮比にて断熱圧縮することができる。したがって、水蒸気と熱媒ガスのそれぞれについて適正な断熱圧縮を行うことにより、エネルギー効率の向上を図ることができる。
【００５７】
この乾燥プロセスにおいては、図４（Ａ）の水のＴ−Ｑ線図に対応するように、予熱部１０と過熱部３０において水の顕熱について、蒸発部２０においては水の潜熱について含水固形物に対して熱の供給と回収を行っている。このように、この乾燥プロセスにおいては、含水化合物の含む水に対して、Ｔ−Ｑ線図における予熱、蒸発及び過熱の各領域に対応して熱の供給と回収を行うことにより、エネルギー効率の向上を図ることができる。
【００５８】
（他の実施の形態）
図５は、他の実施の形態の乾燥プロセスを示す図である。この他の実施の形態の乾燥プロセスは、図２に示した乾燥プロセスの構成において過熱部３０を設けないものである。他の構成は同様であるので、対応関係を明らかにするため対応する構成要素は図２と同一の符号で示す。
【００５９】
この乾燥プロセスにおいて、固気分離機６１には蒸発部２０にて含んだ水が蒸発して水蒸気にされた１００℃の含水固形物が供給される。固気分離機６１で分離されて熱回収部４０に供給された１００℃の固形物は３０℃の熱媒ガスに対して放熱し、４０℃まで降温され、熱媒ガスは９０℃まで昇温される。熱媒ガスは熱媒過熱部５０に供給され、１１０℃に昇温されて予熱部１０に供給される。
【００６０】
固気分離機６１で分離されて第２の圧縮機６２に供給された１００℃の水蒸気は、１１０℃まで昇温され、蒸発部２０に供給される。他の構成については、図２に示した乾燥プロセスと同様であるので説明を省略する。
【００６１】
この乾燥プロセスは、過熱部３０を設ける必要がないので、装置の構造が簡易になり、装置の小型化が可能になる。また、過熱部３０で含水物を過熱する必要がないので、過熱に耐えることができない固形物に対しても適用することができる。
【００６２】
（第１の実施例）
図６は、乾燥プロセスを実現する乾燥装置の第１の実施例を示す図である。この乾燥装置は、供給された含水固形物を予熱する第１のスクリューフィーダー７１、第１のスクリューフィーダー７１で予熱された含水固形物に含まれる水を蒸発させる第２のスクリューフィーダー７２、第２のスクリューフィーダー７２から供給された含水固形物から熱を回収する第３のスクリューフィーダー７３を有している。
【００６３】
また、この乾燥装置は、第２のスクリューフィーダー７２から供給された水蒸気を断熱圧縮により昇温して第２のスクリューフィーダー７２、第１のスクリューフィーダー７１の順序で供給する第１の圧縮機７４、第３のスクリューフィーダー７３の冷却に用いられた空気を断熱圧縮により昇温して第１のスクリューフィーダー７１に供給する第２の圧縮機７５を有している。
【００６４】
この乾燥装置において、第１のスクリューフィーダー７１、第２のスクリューフィーダー７２、第３のスクリューフィーダー７３は、それぞれ図２に示した予熱部１０、蒸発部２０、熱回収部４０に対応している。
【００６５】
第１のスクリューフィーダー７１において、供給された１１０℃の空気はシャフト管中を流され、１１０℃の水蒸気はこの第１のスクリューフィーダー７１の胴体を周回する水管を流されている。この第１のスクリューフィーダー７１に供給された３０℃の含水固形物は、１１０℃の空気と同じく１１０℃の水蒸気を熱源として吸熱し、１００℃まで昇温され、空気は放熱して４０℃まで降温され、水蒸気も同じく４０℃まで降温され凝縮水とされる。
【００６６】
第１のスクリューフィーダー７１にて１００℃まで昇温された含水固形物は第２のスクリューフィーダー７２に供給され、含水固形物は１１０℃の水蒸気を熱源として吸熱し、含水固形物の含む水は蒸発して水蒸気にされる。
【００６７】
第２のスクリューフィーダー７２から供給された１００℃の含水固形物は、第３のスクリューフィーダー７３において、３０℃の空気を熱源として、放熱して４０℃まで降温され、乾燥物として提供される。
【００６８】
一方、第２のスクリューフィーダー７２から供給された１００℃の水蒸気は、第１の圧縮機７４にて断熱圧縮により１１０℃まで昇温される。この水蒸気は、第２のスクリューフィーダー７２にて１１０℃の温度を維持しつつ放熱し、第１のスクリューフィーダー７１にて放熱して４０℃まで降温され凝縮水とされる。
【００６９】
第３のスクリューフィーダー７３において、３０℃の空気は吸熱して９０℃まで昇温され、第２の圧縮機７５にて断熱圧縮により１１０℃まで昇温され、第１のスクリューフィーダー７１にて放熱して４０℃まで降温される。
【００７０】
この第１の実施の形態の乾燥装置は、水蒸気を断熱圧縮する第１の圧縮機７４と空気を断熱圧縮する第２の圧縮機７５を別個に備えている。したがって、この乾燥装置は、水蒸気と空気について、それぞれ必要な温度に昇温させるために適正な圧縮比で断熱圧縮することができ、エネルギー効率の向上を図ることができる。
【００７１】
（第２の実施例）
図７は、乾燥プロセスを実現する乾燥装置の第２の実施例を示す図である。この乾燥装置は、供給された含水固形物を予熱するとともに含水固形物に含まれる水分を蒸発させる第１のスクリューフィーダー８１、第１のスクリューフィーダー８１から供給された含水固形物から熱を回収する第２のスクリューフィーダー８２を有している。ここで、第１のスクリューフィーダー８１は、含水固形物を予熱する前段８１ａと含水固形物の含む水を蒸発させる後段８１ｂを有している。
【００７２】
また、この乾燥装置は、第１のスクリューフィーダー８１から供給された水蒸気を断熱圧縮により昇温させて元の第１のスクリューフィーダー８１に供給する第１の圧縮機８４、第２のスクリューフィーダー８２にて冷却に用いられた空気を断熱圧縮により昇温させて第１のスクリューフィーダー８１に供給する第２の圧縮機８５を有している。
【００７３】
第１のスクリューフィーダー８１において、供給された１１０℃の水蒸気はシャフト管中を流され、１１０℃の空気はこの第１のスクリューフィーダー８１の胴体を周回する管を流されている。これら水蒸気と空気は、この第１のスクリューフィーダー８１の後段８１ｂから前段８１ａの順序で流されている。
【００７４】
この第１のスクリューフィーダー８１の前段８１ａにおいて、供給された３０℃の含水固形物は、１１０℃の水蒸気と同じく１１０℃の空気を熱源として吸熱し、１００℃まで昇温され、空気は放熱して４０℃に降温され、水蒸気も同じく４０℃まで降温され凝縮水とされる。
【００７５】
第１のスクリューフィーダー８１の前段８１ａにて１００℃まで昇温された含水固形物は第１のスクリューフィーダー８１の後段８１ｂに供給され、含水固形物は空気と１１０℃の水蒸気を熱源として吸熱し、含水固形物の含む水は蒸発して水蒸気にされる。
【００７６】
第１のスクリューフィーダー８１から供給された１００℃の含水固形物は、第２のスクリューフィーダー８２において、３０℃の空気を熱源として放熱し、４０℃まで降温され、乾燥物として提供される。
【００７７】
一方、第１のスクリューフィーダー８１から供給された１００℃の水蒸気は、第１の圧縮機８４による断熱圧縮により１１０℃まで昇温される。この水蒸気は、第１のスクリューフィーダー８１の後段８１ｂにて１１０℃の温度を維持しつつ放熱し、さらに、第１のスクリューフィーダー８１の前段８１ａにて放熱し、４０℃まで降温されて凝縮水にされる。
【００７８】
第２のスクリューフィーダー８２において、３０℃の空気は吸熱し、９０℃まで昇温され、第２の圧縮機８５にて断熱圧縮により１１０℃まで昇温され、第１のスクリューフィーダー８１の後段８１ｂにて１１０℃の温度を維持しつつ放熱し、さらに、第１のスクリューフィーダー８１の前段８１ａにて放熱し、４０℃まで降温される。
【００７９】
この第２の実施の形態の乾燥装置は、含水固形物の予熱と含水固形物の含む水の蒸発を第１のスクリューフィーダー８１の前段８１ａと後段８１ｂで連続して実行している。したがって、含水固形物の予熱の工程から含水固形物の含む水の蒸発の工程に含水固形物を同じ軸上で連続して移動させることにより供給することができ、含水固形物の搬送を容易にすることができる。また、予熱部と蒸発部を別個に設ける必要がなくなるので、構成が簡易化され、設備のコストも低減される。
【００８０】
（第３の実施例）
図８は、乾燥プロセスを実現する乾燥装置の第３の実施例を示す図である。この乾燥装置は、供給された含水固形物の含水固形物を予熱する第１のスクリューフィーダー９１、第１のスクリューフィーダー９１にて予熱された含水固形物に含まれる水を蒸発させる第２のスクリューフィーダー９２、第２のスクリューフィーダー９２から供給された含水固形物から熱を回収する第３のスクリューフィーダー９３を有している。
【００８１】
また、この乾燥装置は、第２のスクリューフィーダー９２から供給された水蒸気と第３のスクリューフィーダー９３の冷却に用いられた空気を併せた混合熱媒を断熱圧縮により昇温させ、第２のスクリューフィーダー９２、第１のスクリューフィーダー９１の順序で供給する圧縮機９５を有している。
【００８２】
第１のスクリューフィーダー９１において、供給された３０℃の含水固形物は１１０℃の混合熱媒を熱源として吸熱し、１００℃まで昇温され、混合熱媒は放熱して４０℃まで降温され、混合熱媒に含まれる水蒸気は凝縮水とされる。
【００８３】
第１のスクリューフィーダー９１にて１００℃まで昇温された含水固形物は第２のスクリューフィーダー９２に供給され、含水固形物は１１０℃の混合熱媒を熱源として吸熱し、含水固形物の含む水は蒸発して水蒸気にされる。
【００８４】
第２のスクリューフィーダー９２から供給された１００℃の含水固形物は第３のスクリューフィーダー９３に供給され、３０℃の空気を熱源として４０℃まで降温され、乾燥物として提供され、空気は９０℃まで昇温される。
【００８５】
一方、第２のスクリューフィーダー９２から供給された１００℃の水蒸気は、第３のスクリューフィーダー９３にて吸熱した９０℃の空気と混合されて混合熱媒とされ、圧縮機９５にて断熱圧縮により１１０℃まで昇温される。この混合熱媒は、第２のスクリューフィーダー９２にて１１０℃の温度を維持しつつ放熱し、さらに、第１のスクリューフィーダー９１にて放熱し、４０℃まで降温され、混合触媒に含まれる水蒸気は凝縮水にされる。
【００８６】
この第３の実施形態の乾燥装置は、水蒸気と空気の混合熱媒を単一の圧縮機９５により断熱圧縮している。このため、水蒸気と空気について個別に流路を設ける必要がなく、また単一の圧縮機にて足りるので、構成が簡易化され、設備のコストも低減される。
【産業上の利用可能性】
【００８７】
この出願に係る発明は、汚泥の乾燥、褐炭の乾燥、バイオマスの乾燥に利用することができる。
【符号の説明】
【００８８】
１０  予熱部
２０  蒸発部
３０  過熱部
４０  熱回収部
５０  熱媒過熱部
５１  第１の圧縮機
６１  固気分離機
６２  第２の圧縮機
【図１】
2014105981.tif 000003
【図２】
2014105981.tif 000004
【図３】
2014105981.tif 000005
【図４】
2014105981.tif 000006
【図５】
2014105981.tif 000007
【図６】
2014105981.tif 000008
【図７】
2014105981.tif 000009
【図８】
2014105981.tif 000010